(57)【要約】【課題】  本発明は、撮像データの画像処理時に撮影設定に応じてゲインアップを適切に行い、シャッタ秒時の低速化を防ぎ、低コストで、かつ撮影時の手ぶれや被写体ぶれを効果的に防止できる。【解決手段】  本発明の撮像装置は、被写体の光学像を結像させる光学手段と、光学手段により結像した光学像を電気的に撮像する撮像手段と、撮像手段の撮像時間を設定する撮像時間設定手段と、撮像手段の画像信号に少なくとも増幅処理及び画像データ量変換処理を行う画像処理手段と、画像データ量変換処理のパラメータを設定するパラメータ設定手段とを有している。更に、本発明の撮像装置は、パラメータ設定手段によって設定されるパラメータに基づいて画像処理手段における増幅処理の処理内容を変更する増幅処理変更手段を有する。よって、シャタ秒時の低速化を防ぎ、撮影時の手ぶれや被写体ぶれを防止できる。【選択図】        図１
2006245709.tif 000002
【特許請求の範囲】
【請求項１】
被写体の光学像を結像させる光学手段と、該光学手段により結像した光学像を電気的に撮像する撮像手段と、該撮像手段の撮像時間を設定する撮像時間設定手段と、前記撮像手段の画像信号に少なくとも増幅処理及び画像データ量変換処理を行う画像処理手段と、前記画像データ量変換処理のパラメータを設定するパラメータ設定手段とを有する撮像装置において、
前記パラメータ設定手段によって設定されるパラメータに基づいて前記画像処理手段における増幅処理の処理内容を変更する増幅処理変更手段を有することを特徴とする撮像装置。
【請求項２】
前記増幅処理変更手段は、前記パラメータ設定手段によって設定されるパラメータの設定が大きくなる設定時の前記画像処理手段による増幅処理の増幅率に比べ、前記パラメータ設定手段によって設定されるパラメータの設定が小さくなる設定時の前記画像処理手段による増幅処理の増幅率を大きくする請求項１記載の撮像装置。
【請求項３】
前記画像処理手段による前記画像データ量変換処理は、画像サイズ変換又は画像圧縮率変換である請求項１記載の撮像装置。
【請求項４】
前記パラメータ設定手段は、外部装置からの入力画像信号に応じて、前記画像処理手段による増幅処理の増幅率の変更を制限する請求項１〜３のいずれかに記載の撮像装置。
【請求項５】
被写体の動き又は装置自体のゆれを検出した検出値と所定値を比較して被写体の動き又は装置自体のゆれを判定する動き判定手段を有し、該動き判定手段による判定結果に応じて前記画像処理手段による増幅処理の増幅率の変更を制限する請求項１〜３のいずれかに記載の撮像装置。
【請求項６】
被写体の輝度を検出する輝度検出手段を有し、該輝度検出手段による検出結果に応じて前記画像処理手段による増幅処理の増幅率の変更を制限する請求項１〜３のいずれかに記載の撮像装置。
【請求項７】
被写体画像のノイズを検出した検出値と所定値を比較して被写体画像のノイズの多さを判定するノイズ判定手段を有し、該ノイズ判定手段による判定結果に応じて前記画像処理手段による増幅処理の増幅率の変更を制限する請求項１〜３のいずれかに記載の撮像装置。
【発明の詳細な説明】
【技術分野】
【０００１】
本発明は撮像装置に関し、詳細にはデジタルカメラにおける撮影時の手ぶれや被写体ぶれを防止する技術に関する。
【背景技術】
【０００２】
近年、デジタルカメラの高解像化は進み、撮像素子であるＣＣＤは、３００万画素から６００万画素へと高画素化している。一方、カメラサイズは変わらないため、１画素あたりの面積を狭くして、高画素化が行われている。このため、受光画素ごとで所定信号量を得るのに要する露光時間が長くなっており、一般に感度が低いと言われている。低輝度時はその露光時間の長さで、手ぶれや被写体ぶれの大きな原因となっている。この対策として従来からいくつか提案がなさせている。その一つとしての特許文献１には、高画素ＣＣＤで縮小画像を撮影する場合に、撮像素子において、垂直の複数画素を画素混合して、感度を上げる提案がなされている。
【特許文献１】特開２００２−３５４３４４号公報
【発明の開示】
【発明が解決しようとする課題】
【０００３】
しかしながら、上記特許文献１によれば、撮像素子での画素混合は従来のＣＣＤに対して追加回路等でコストアップを招き、またＣＣＤの色フィルタが原色タイプか補色タイプかで配線の変更が必要であるなどと自由度も良くない。
【０００４】
本発明はこれらの問題点を解決するためのものであり、撮像データの画像処理時に撮影設定に応じてゲインアップを適切に行い、シャッタ秒時の低速化を防ぎ、低コストで、かつ撮影時の手ぶれや被写体ぶれを効果的に防止できる撮像装置を提供することを目的とする。
【課題を解決するための手段】
【０００５】
前記問題点を解決するために、本発明の撮像装置は、被写体の光学像を結像させる光学手段と、光学手段により結像した光学像を電気的に撮像する撮像手段と、撮像手段の撮像時間を設定する撮像時間設定手段と、撮像手段の画像信号に少なくとも増幅処理及び画像データ量変換処理を行う画像処理手段と、画像データ量変換処理のパラメータを設定するパラメータ設定手段とを有している。更に、本発明の撮像装置は、パラメータ設定手段によって設定されるパラメータに基づいて画像処理手段における増幅処理の処理内容を変更する増幅処理変更手段を有することに特徴がある。よって、シャタ秒時の低速化を防ぎ、撮影時の手ぶれや被写体ぶれを防止できる。
【０００６】
また、増幅処理変更手段は、パラメータ設定手段によって設定されるパラメータの設定が大きくなる設定時の画像処理手段による増幅処理の増幅率に比べ、パラメータ設定手段によって設定されるパラメータの設定が小さくなる設定時の画像処理手段による増幅処理の増幅率を大きくする。よって、シャタ秒時の高速化を図り、撮影時の手ぶれや被写体ぶれを防止できる。
【０００７】
更に、画像処理手段による画像データ量変換処理は、画像サイズ変換又は画像圧縮率変換である。よって、シャッタ秒時の低速化を防ぎ、低コストで、かつ撮影時の手ぶれや被写体ぶれを効果的に防止できる。
【０００８】
また、パラメータ設定手段は外部装置からの入力画像信号に応じて画像処理手段による増幅処理の増幅率の変更を制限することにより、使用者がぶれ抑止又は高Ｓ／Ｎ優先のいずれかを選択できる。
【０００９】
更に、本発明の撮像装置は、被写体の動き又は装置自体のゆれを検出した検出値と所定値を比較して被写体の動き又は装置自体のゆれを判定する動き判定手段を有し、その動き判定手段による判定結果に応じて画像処理手段による増幅処理の増幅率の変更を制限する。よって、ぶれ状態を自動で検出し、ぶれ抑止又は高Ｓ／Ｎ優先のいずれかを自動で最適な選択を行うことができる。
【００１０】
また、本発明の撮像装置は、被写体の輝度を検出する輝度検出手段を有し、その輝度検出手段による検出結果に応じて画像処理手段による増幅処理の増幅率の変更を制限する。よって、低輝度で、ノイズが目立つ撮影環境であると予想さあれた場合は、ぶれ抑止用ゲインアップを自動で禁止し、Ｓ／Ｎの悪化を防ぐことができる。
【００１１】
更に、本発明の撮像装置は、被写体画像のノイズを検出した検出値と所定値を比較して被写体画像のノイズの多さを判定するノイズ判定手段を有し、そのノイズ判定手段による判定結果に応じて画像処理手段による増幅処理の増幅率の変更を制限する。よって、ノイズが目立つ撮影環境であることを事前に検出して、ぶれ抑止用ゲインアップを自動で禁止し、Ｓ／Ｎの悪化を防ぐことができる。
【発明の効果】
【００１２】
本発明の撮像装置は、パラメータ設定手段によって設定されるパラメータに基づいて画像処理手段における増幅処理の処理内容を変更する。よって、シャタ秒時の低速化を防ぎ、撮影時の手ぶれや被写体ぶれを防止できる。
【発明を実施するための最良の形態】
【００１３】
図１は本発明の一実施の形態例に係る撮像装置の構成を示すブロック図である。同図に示す本実施の形態例の撮像装置１００は、レンズ１０１、メカニカルシャッタ１０２、ＣＣＤ１０３、ＡＤ変換部１０４、ＤＳＰ（Digital Signal Processor）部１０５、ドライバ部１０６、ＣＣＤ駆動回路部１０７、ＣＰＵ１０８、メモリ１０９、通信ドライバ１１０、メモリカード１１１、表示部１１２、ＳＷ部１１３、音声ＣＯＤＥＣ（Compression/Decompression）部１１４及びＡＦ部１１５を含んで構成されている。そして、ＡＤ変換部１０４は、ＣＣＤ１０３からのＣＣＤ信号を相関二重サンプリングしてＣＣＤ信号に含まれるノイズ等を軽減するための相関二重サンプリング回路（以下ＣＤＳ回路と略す）及びＡ／Ｄ変換を行うＡＤ部を含んで構成されている。ＤＳＰ部１０５は、ＡＤ変換部１０４によりＡ／Ｄ変換されたデジタル信号を輝度Ｙ、色差Ｕ、Ｖ信号に変換したり、そのＹＵＶデータをＪＰＥＧ圧縮する。ドライバ部１０６はＣＰＵ１０８の制御によりレンズ１０１のフォーカス駆動やメカニカルシャッタ１０２のシャッタ開閉動作などのメカニカル部の駆動を行う。ＣＣＤ駆動回路部１０７はＣＰＵ１０８の制御によりＣＣＤ１０３の駆動を制御する。ＣＰＵ１０８は撮像装置１００の全体を制御する。メモリ１０９は撮像した画像データ、ファイルからのリードデータを一時格納するためのメモリである。通信ドライバ１１０は外部装置２００との通信のやり取りを行う。メモリカード１１１は着脱可能なメモリカードである。表示部１１２はＤＳＰ部１０５からの映像出力信号を表示可能な信号に変換する表示コントローラ（図示せず）と実際に表示するＬＣＤ（図示せず）とを有している。ＳＷ部１１３は操作ボタン等の操作スイッチであり、画像サイズまたは画質モードを設定するものである。なお、画質モードは撮影した静止画画像の圧縮率を規定するものであり、圧縮データ量が約１／４に圧縮する低圧縮モードと約１／８に圧縮する高圧縮モードがある。圧縮方式はJPEG方式である。音声ＣＯＤＥＣ部１１４は供給される信号に対して圧縮／伸張を施すための回路であり、詳細には入力アナログ部１１４−１からの信号をデジタル変換してＤＳＰ部１０５に送り、またＤＳＰ部１０５から送られてきたデジタル音声データをアナログ変換して出力アナログ部１１４−２に出力する。なお、外部装置２００に表示装置があれば表示部１１２は無くてもよい場合も可能である。
【００１４】
このような構成を有する本実施の形態例の撮像装置１００の撮像処理について説明する。
撮像装置１００の動作は、メイン処理と、そのメイン処理と併行で処理される併行処理がある。メイン処理としては、ＳＷ判定処理、動作モード判断処理、ＡＥ（Automatic Exposure;自動露出）処理、測距処理、静止画記録処理、カード記録処理、画像サイズ設定処理がある。一方、併行処理としては、モニタリング処理、定期タイマ割り込み処理がある。先ずメイン処理のＳＷ判定処理は、後述する２０ｍｓごとの定期タイマ割り込み処理で入力されるＳＷ情報を確定して動作モード判断処理にその情報を渡す。有効なＳＷ情報がなければ、再び何もせず、ＳＷ判定処理に戻るループを繰り返す。動作モード判断処理は撮影モードによって各処理ブロックに作業を振り分ける処理である。ＡＥ処理はモニタリングで求めたＥｖ値（露出量の制御値）からそのレンズの明るさと絞り値（Ａｖ値）における撮影時のシャッタ秒時と増幅率（ゲイン）を決定する。測距処理は光学的に得られた測距データに従ってドライバ部１０６によりレンズ１０１を動かしてフォーカスを合わせる。静止画記録処理はシャッタが押下されるとＡＥ処理で撮像データを評価して撮影露出時に対するＣＣＤ駆動回路部１０７に設定するＣＣＤ１０３の露光時間値や増幅率を決める。カード記録処理は撮影データをメモリカード１１１に記録する処理である。画像サイズ設定処理は撮影した静止画画像のサイズを規定する処理であり、ＣＣＤ１０３の縦横フルサイズデータからＤＳＰ部１０５で画像補間によりサイズ縮小した画像を得てメモリカード１１１に記録する。なお、ＣＣＤ１０３のフルサイズは例えば横２０４８画素×縦１５３６画素である。画像サイズ設定によって、フルサイズと１０２４×９６０、６４０×４８０サイズが設定できる。また、併行処理の定期タイマ割り込み処理は２０ｍｓの定期タイマ割り込みで起動され、ＳＷ部１１３の状態を取得する処理である。モニタリング処理はカメラのスルー画像を表示している際のＡＥ、ＡＷＢ（Automatic White Balance）追尾処理を実行するものであり、これにより表示部１１２に表示している画像をいつも適正な明るさ、自然な色合いに保つことができる。
【００１５】
次に、本実施の形態例の撮像装置の撮影時のメイン処理について図１及び当該動作フローを示す図２に従って説明する。
同図において、先ず記録モードでカメラ電源をＯＮされると、図示しないが、撮像装置１００の内部のハードウェア初期化やカード内のファイル情報をメモリ１０９内に作成するなどの記録準備処理を行う。その後、記録のメイン処理が開始される。メイン処理では、モニタリング状態をチェックしてモニタリング状態が停止状態であれば（ステップＳ１０１、ステップＳ１０２；ＹＥＳ）、現在記録中であるか否かを判定する（ステップＳ１０３）。そして記録中でない場合はモニタリング処理を行う（ステップＳ１０３；ＮＯ、ステップＳ１０４）。このように、メイン処理に最初に入った場合にもモニタリング開始処理は実行されることになる。ここで、併行処理のモニタリング処理は、上述したように、カメラのスルー画像を表示している際のＡＥ、ＡＷＢ（Automatic White Balance）追尾処理を実行するものであり、これにより、カメラの表示装置に表示している画像をいつも適正な明るさ、自然な色合いに保つことができる。具体的には、図１のＣＣＤ１０３の撮影データからＤＳＰ部１０５で、各ＡＥ、ＡＷＢに対する評価値をＣＰＵ１０８で取得し、その値が所定値になるように、ＣＣＤ駆動回路部１０７に露光時間のセットし、その撮像信号のＣＣＤ１０３における増幅率を設定したり、ＤＳＰ部１０５の画像処理色パラメータを調節したりするフィードバック制御を行う。なお、増幅率に関してはＤＳＰ部１０５で映像デジタル処理においても実施できる。そして、ＳＷ判定処理が行われ（ステップＳ１０５）、かつ動作モード判断処理が行われる（ステップＳ１０６）。静止画撮影時はシャッタボタンの第１のスイッチがＯＮされると、ＡＥ処理で撮像データをＤＳＰ部１０５で評価し、撮影露出時に対するＣＣＤ駆動回路部１０７に設定するＣＣＤ１０３の露光時間値や増幅率を決める（ステップＳ１０７）。次に、測距処理で、測距処理の測距データに従ってドライバ部１０６でレンズ１０１を動かしフォーカスを合わせる（ステップＳ１０８、Ｓ１０９）。第２のＳＷまでオンされると、静止画を撮影する。モニタリングが停止され、静止画記録処理を行い、メモリカード１１１に記録される。
【００１６】
ここで、適正露出に制御するＡＥの仕組みについて説明する。
ＡＰＥＸ方式（Additive System of Photographic Exposure）で以下の適正露出条件がある。
【００１７】
Ｂｖ＋Ｓｖ＝Ｅｖ＝Ａｖ＋Ｔｖ
【００１８】
但し、Ｂｖは被写体輝度で、Ｓｖはフィルムカメラにおいてはフィルム感度であるがデジタルカメラでは撮像信号に対する増幅率にあたる。また、Ｅｖは露出量の制御値で、絞り値Ａｖと電子シャッタ秒時Ｔｖからなる値である。
【００１９】
この適正露出条件式が成立している場合が適正露出といえる。デジタルカメラでは、外部条件である明るさＢｖに対して、上記の適正露出条件式が成り立ち、絞り値（Ａｖ）、シャッタ秒時（Ｔｖ）及び増幅率（Ｓｖ）の内部条件を組み合わせて適正露出を作っている。
【００２０】
ここで、Ｓｖ値が小さければ、Ｔｖ値も小さくする必要がある。Ｔｖ値を小さくすることは、シャッタ秒時を長くすることであり、暗い場合は手ぶれ撮影となる危険が出てくる。Ｓｖ値を大きくできれば、Ｔｖ値も大きく（高速シャッタ）でき、手ぶれの危険を少なくすることができる。ただし、Ｓｖ値を大きくすることはＳ／Ｎの悪化を招くことになる。つまり、増幅率（Ｓｖ）は、ＣＣＤ画素ごとの信号を電気的に増幅するものであり、増幅率が高いとＣＣＤ画素ごと感度差や電気的ノイズも増加し、処理した画像のＳ／Ｎが悪くなる傾向があるからである。
【００２１】
次に、ＡＥ処理について当該処理フローを示す図３に従って説明する。なお、Ｇ０は基準増幅率であり、フル画像サイズを処理した際に画像データのＳ／Ｎが所定値になる値に設定されている。また、図１のＣＣＤ１０３の電子シャッタは１／２０００の高速秒時から１秒の低速秒時までを設定可能で、被写体輝度に応じて基準増幅率Ｇ０とＡｖ値を元に所定画像信号レベルが得られる秒時を求めて設定される。しかし、低輝度ではぶれを防止するために、秒時Ｔｖｍ以下ではゲインアップを行うものとする。
【００２２】
図３において、先ず測光して得られたＥｖ（露出量の制御値）から基準増幅率Ｇ０であって秒時Ｔｖｍ以上で適正露出量が得られる場合（ステップＳ２０１、Ｓ２０２；ＹＥＳ）、つまりＥｖ＞Ａｖ＋Ｔｖｍ−Ｇ０である場合、ゲインアップなしであり、ゲイン（＝Ｇ０）と計算された秒時（＝Ｅｖ−Ａｖ＋Ｇ０）が決定される（ステップＳ２０３）。ここで、Ａｖ値は２で、Ｔｖｍは６とする。（１／６０秒）図４のように、Ｅｖ８以上は基準増幅率Ｇ０とＡｖ値から図４のようにシャッタ秒時が決定される。被写体が暗くシャッタ速度が低速秒時になると、手ぶれや被写体ぶれにより、撮影画像がぼけたように撮影される。このため、秒時がＴｖｍ未満の所定輝度以下では増幅率を上げて、その分電子シャッタ秒時を高速側にシフトし、ぶれ現象を軽減できる。しかし、撮影画像のＳ／Ｎが所定値を下回らないように、増幅率の上限リミットがされる。その増幅率の上限はＧｖｍである。そこで、秒時ＴｖｍのままＧｖｍ未満までゲインアップする場合（ステップＳ２０２；ＮＯ、ステップＳ２０４；ＹＥＳ）ゲインアップありである。ゲインがＧｖｍまでアップされた場合が、＜ゲインアップ上限＞であり、ゲイン（＝Ａｖ＋Ｔｖｍ−Ｅｖ）と計算された秒時（＝Ｔｖｍ）が決定される（ステップＳ２０３）。図４ではフルサイズ（２０４８サイズ）においてＧｖｍをＧ１としている。Ｇ１はＧ０の２倍の増幅率であり、これによりＥｖ＝８より暗い環境でシャッタ秒時が１Ｅｖ低速になるのを防いでいる。以上がフルサイズでのＡＥ処理である。
【００２３】
次に、画像サイズで縮小画像サイズを選択した場合であるが、初めに縮小画像サイズを選択した時のＳ／Ｎについて説明する。
画像サイズ縮小は、該当する画素周辺のデータ同士を加算し平滑化する畳み込み演算を行う。図５で水平２０４８を１０２４に縮小する際は、Ｂ２画素を中心とした周辺３画素×３画素（図中破線で囲む）、つまりＡ１、Ａ２、Ａ３とＢ１、Ｂ２、Ｂ３とＣ１、Ｃ２、Ｃ３の９画素にそれぞれ重み付け係数をかけて、総和し、平均化し、新たなＢ２'画素データを求め、それを縮小後の画素データとして使用する。これをＢ２、Ｂ４、Ｂ６、・・・ごとに行い、Ｂ２’、Ｂ４’、Ｂ６'、・・・と配置すると、水平１／２画素数のデータができあがる。縮小率を大きくするには、周辺３×３より広い、例えば５×５で同様に行う。
【００２４】
これにより画素ごとに発生するランダムのノイズも平均化される。このように同じ増幅率では縮小率が大きいほど、より広い多くの周辺画素を畳み込み演算するためＳ／Ｎは良くなる。言い換えれば、縮小画像処理においては、増幅率を大きくしても、フルサイズと同じＳ／Ｎを得ることができ、かつシャッタ秒時の低速化を防ぎ、ぶれ抑止することができる。
【００２５】
次に、画像サイズ設定処理について当該処理フローを示す図６に従って説明する。画像サイズ設定を指示すると、その画像サイズが２０４８サイズであればＧｖｍ＝Ｇ１（ステップＳ３０１；ＹＥＳ、ステップＳ３０２）となる。１０２４サイズを選択するとＧｖｍ＝Ｇ２となり（ステップＳ３０１；ＮＯ、ステップＳ３０３；ＹＥＳ、ステップＳ３０４）、６４０サイズを選択するとＧｖｍ＝Ｇ３となる（ステップＳ３０３；ＮＯ、ステップＳ３０５）。Ｇ２は、Ｇ１の２倍の増幅率であり、Ｇ３は、Ｇ１より４倍の増幅率としている。このため、図４の通り低輝度においては、１０２４サイズ、６４０サイズでそれぞれ２０４８サイズに比べて、シャッタ秒時がそれぞれ１Ｅｖ、２Ｅｖ低速になるのを防止している。ＡＥ処理で、画像サイズごとに、図４に示すようなＥｖテーブルを参照してシャッタ秒時とゲインが決定される。
【００２６】
これにより選択した画像サイズごとに増幅率の上限をもち、縮小画像サイズでその上限を上げることで、低輝度時の電子シャッタの秒時低速化をふせぎ、ぶれ撮影現象を防ぐことができる。特に、最近のデジタルカメラはＡ３サイズの印刷にも耐えうる高画素化が進む一方、その縮小サイズであっても葉書サイズの印刷や電子メール添付のような用途には十分な画像分解能をもち、使用頻度も高い。
【００２７】
なお、画質モードについて同様に可能であり、画質モードにおける処理フローを示す図７に従って説明する。画質モード設定を指示すると、その画質モードが低圧縮モードであればＧｖｍ＝Ｇ１（ステップＳ４０１；ＹＥＳ、ステップＳ４０２）となる。高圧縮モードであればＧｖｍ＝Ｇ２となり（ステップＳ４０１；ＮＯ、ステップＳ４０３；ＹＥＳ、ステップＳ４０４）、圧縮モードを選択しない場合Ｇｖｍ＝Ｇ３となる（ステップＳ４０３；ＮＯ、ステップＳ４０５）。
【００２８】
このように画質モードにおいても、JPEGなどでは高圧縮率時は、ノイズの高周波成分のデータが少なくなるので、画像圧縮率においてＧｖｍを決定して同様にぶれ撮影現象を防ぐことができる。
【００２９】
次に、本実施の形態例の撮像装置が三脚装着可能な場合における画像サイズ設定処理について当該処理フローを示す図８に従って説明する。なお、図１のＳＷ部１１３は三脚が装着されたことを検知するＳＷも含んでいるものとする。つまり、三脚側のネジ部が撮像装置内に入ると、切片を押して撮像装置内の抵抗でプルアップされている入力端子へ押し当てる構造となっているものとする。三脚装着時は（ステップＳ５０３）、少なくとも手ぶれの発生はないので、上記の増幅率は、基準増幅率のままで（ステップＳ５０２）、上限のアップを禁止し、より高いＳ／Ｎで撮影できる。ＳＷ部１１３では三脚装着の検知に限らず、使用者が増幅率アップを禁止の選択をできるＳＷであってもよい。また、撮影時の第１、２のＳＷのＯＮされるタイミング差で合ってもよい。タイミング差が十分にある場合は、ゆっくり撮影用ＳＷを操作しているので手ぶれの発生は少ない。
【００３０】
そのため上記の増幅率は、基準増幅率のままで、上限のアップを禁止し、より高いＳ／Ｎで撮影できる。なお、以上のような増幅率アップの禁止だけでなく、アップ率を小さくするような制限であってもよい。
【００３１】
次に、本実施の形態例の撮像装置が被写体の動きまたは装置自体のゆれを判定する動き判定手段を有する場合における画像サイズ設定処理について当該処理フローを示す図９に従って説明する。具体的には、デジタルカメラの標準圧縮方式であるＪＰＥＧで使用されているＤＣＴ（Discrete Cosine Transform）部分を流用して撮像画像情報の動きを検知するものである。ＪＰＥＧは、図１のメモリ１０９に取り込んだ画像を８画素×８画素のブロック単位でＤＣＴ演算を行い、２次元の画像情報におけるＤＣ成分を含み低周波から高周波の６４の空間周波数に変換する周知の技術である。各周波数成分に重み係数をかけて、その８×８画素ブロックの代表値とし、さらに複数ブロックの代表値を合わせて、部分エリアごとの代表値とする。時間ごとに順次撮像される画像に対して、上記を行い、時系列での部分エリアの代表値を比較する。ある所定量の差以上が出た場合を、画像にゆれがあったと判定できる。ゆれがない場合は、上記増幅率は基準増幅率のままで、上限のアップを禁止し、より高いＳ／Ｎで撮影できる。
【００３２】
更に、一例としては、第１のＳＷオン時に決定される撮影時のＥｖデータが所定Ｅｖ以下で暗い場合には、撮影時の増幅率は基準増幅率のままで、上限のアップを禁止することも可能である。これは超低輝度でシャタ秒時１秒であっても画像の信号レベルが所定レベルを得られない場合であり、撮影時にもＳ／Ｎが悪くなると推定されるためでこれによりゲインアップによるさらなるＳ／Ｎの悪化を防ぐ。また、第１のＳＷオン時にモニタリング時の画素データをメモリ１０９に格納し、ノイズ判定手段でノイズの発生状況を評価し、評価の結果ノイズが多い場合（ステップＳ６０４）、撮影時の増幅率は基準増幅率のままで（ステップＳ６０３）、上限のアップを禁止し、ゲインアップによるＳ／Ｎの悪化を防ぐことも可能である。ノイズの多さの判定については、モニタリング時に撮像データを画像処理し、輝度と色データとしてメモリに格納するが、図１０のように周辺画素位置の輝度データを平均した周辺輝度平均値と各画素位置の輝度から突出量を求め、所定突出量以上の画素位置数をカウントする。そのカウント値が所定数より多い場合に、ノイズが多いと判定する。
【００３３】
なお、本発明は上記実施の形態例に限定されるものではなく、特許請求の範囲内の記載であれば多種の変形や置換可能であることは言うまでもない。
【図面の簡単な説明】
【００３４】
【図１】本発明の一実施の形態例に係る撮像装置の構成を示すブロック図である。
【図２】本実施の形態例の撮像装置の撮影時のメイン処理を示すフローチャートである。
【図３】本実施の形態例の撮像装置におけるＡＥ処理を示すフローチャートである。
【図４】ＥＶに対する画像サイズ別のシャッタ秒時とゲインを格納したテーブルを示す図である。
【図５】画像サイズ縮小の画素の様子を示す図である。
【図６】本実施の形態例の撮像装置における画像サイズ設定処理を示すフローチャートである。
【図７】本実施の形態例の撮像装置における画質モードの処理を示すフローチャートである。
【図８】本実施の形態例の撮像装置が三脚装着可能な場合における画像サイズ設定処理を示すフローチャートである。
【図９】本実施の形態例の撮像装置が動き判定手段を有する場合における画像サイズ設定処理を示すフローチャートである。
【図１０】ノイズの多さ判定に用いる周辺画素位置の輝度データを示す特性図である。
【符号の説明】
【００３５】
１００；撮像装置、１０１；レンズ、１０２；メカニカルシャッタ、
１０３；ＣＣＤ、１０４；ＡＤ変換部、１０５；ＤＳＰ部、
１０６；ドライバ部、１０７；ＣＣＤ駆動回路部、１０８；ＣＰＵ、
１０９；メモリ、１１０；通信ドライバ、１１１；メモリカード、
１１２；表示部、１１３；ＳＷ部、
１１４；音声ＣＯＤＥＣ部、１１４−１；入力アナログ、
１１４−２；出力アナログ、１１５；ＡＦ部、２００；外部装置。
【図１】
2006245709.tif 000003
【図２】
2006245709.tif 000004
【図３】
2006245709.tif 000005
【図４】
2006245709.tif 000006
【図５】
2006245709.tif 000007
【図６】
2006245709.tif 000008
【図７】
2006245709.tif 000009
【図８】
2006245709.tif 000010
【図９】
2006245709.tif 000011
【図１０】
2006245709.tif 000012